(57)【要約】      （修正有）【課題】着脱が容易であり、かつ、固着した状態でも分離がしやすいようにした管継手を提供する。【解決手段】接続する際には、雄型継手部材１５０の挿入部１５２に沿って、施錠子１２４が止め輪１２６の付勢力に対抗しながら解放位置まで変位し、施錠凹部１５４が施錠子１２４と整合する位置になると、施錠子１２４が止め輪１２６の付勢力によって施錠位置まで変位して施錠凹部１５４の短軸部に嵌合する。これにより、雄型継手部材１５０が雌型継手部材１１０に施錠され、接続状態となる。分離する際には、雌型継手部材１１０と雄型継手部材１５０とを相対的に回転させる。すると、施錠凹部１５４と施錠子１２４との接触位置が短軸部から長軸部に移動して施錠子１２４が止め輪１２６の付勢力に対抗しながら解放位置にまで変位し、施錠が解除される。その状態で、雄型継手部材１５０を雌型継手部材１１０から引き抜くことで分離される。【選択図】図１
2018159461.tif 000002
【特許請求の範囲】
【請求項１】
雌型継手部材と該雌型継手部材に着脱可能に接続される雄型継手部材とからなる管継手であって、
該雌型継手部材は、
該雄型継手部材を受け入れる筒状の内周面を有する受入部と、外周面から該内周面にその半径方向を貫通するように形成された施錠子孔とを有する雌型継手本体、
該施錠子孔内に配置され、一部が該受入部内に挿入される施錠位置と、該施錠位置よりも外側に変位した解放位置との間で半径方向に変位可能とされた施錠子、及び、
該施錠子を該施錠位置に向かって付勢する弾性部材、
を有し、
該雄型継手部材は、
該雌型継手部材の該受入部内に挿入される挿入部と、短軸部と長軸部とがある断面形状になっており、該長軸部の長さは該挿入部の直径と同等以上、該短軸部の長さは該挿入部の直径未満で形成され、該施錠子を受け入れて該挿入部を該受入部内に施錠する施錠凹部とを外周面に有する雄型継手本体、
を有し、
該雄型継手部材の該挿入部を該雌型継手部材の該受入部内に挿入していくと、該挿入部に沿って、該施錠子が該弾性部材の付勢力に対抗しながら該解放位置まで変位し、該施錠凹部が該施錠子と整合する位置となると、該施錠子が該弾性部材の付勢力によって該施錠位置まで変位して該施錠凹部の該短軸部に嵌合することによって該雄型継手部材が該雌型継手部材に施錠されて接続状態となり、
該接続状態において、該雌型継手部材と該雄型継手部材とを相対的に回転させると、該施錠凹部と該施錠子との接触位置が該短軸部から該長軸部に移動して該施錠子が該弾性部材の付勢力に対抗しながら該解放位置にまで変位することにより、該雌型継手本体と該雄型継手本体との間の施錠が解除されるようになっている、管継手。
【請求項２】
該雄型継手部材が、該挿入部上の該施錠凹部の該短軸部と隣接する位置に形成された回転防止溝を有し、
該施錠子が、該回転防止溝と接する位置に形成された回転防止段を有し、
該接続状態において、該回転防止溝に該回転防止段が嵌合するようにされた、
請求項１に記載の管継手。
【請求項３】
該施錠子が、該施錠凹部と接する位置に形成された突起部を有し、
該雄型継手部材が、該挿入部上から該施錠凹部の該長軸部をまたがるように形成された溝部を有し、
該接続状態において、該雌型継手部材と該雄型継手部材とを相対的に回転させ、該施錠子が該解放位置にまで変位した時に、該突起部と該溝部が嵌合するようにされた、
請求項１又は請求項２に記載の管継手。
【請求項４】
該施錠子と該弾性部材とが一体の部材とされた、
請求項１乃至請求項３のいずれか一項に記載の管継手。
【請求項５】
該施錠子が、該施錠凹部と該施錠子孔とに接する部分に間隔をあけて形成されている隙間溝を有し、該施錠子と該施錠凹部との接触部分の面積、及び、該施錠子と該施錠子孔との接触部分の面積を減らした、
請求項１乃至請求項４のいずれか一項に記載の管継手。
【発明の詳細な説明】
【技術分野】
【０００１】
本発明は、管継手に関し、より詳細には、雄型継手部材と雌型継手部材との着脱を迅速且つ簡易に行うことが可能な管継手に関する。
【背景技術】
【０００２】
従来から、配管同士の着脱を迅速に行うようにすることを可能とする、雄型継手部材と雌型継手部材とからなる管継手が知られている。このような管継手の雌型継手部材は、例えば特許文献１に開示されているように、雄型継手部材を受け入れる受入部、半径方向に貫通する施錠子孔が形成されている雌型継手本体、施錠子孔に半径方向で変位可能で、一部が受入部内に挿入される施錠位置と、施錠位置よりも外側に変位した解放位置との間で変位可能とされた施錠子、雌型継手本体の外周面上で前後方向に摺動可能に配置されたスリーブ、及びスリーブを雌型継手本体に対して前方に付勢するスプリングを有し、雄型継手部材は、雌型継手部材の受入部内に挿入される挿入部、施錠子を受け入れて挿入部を受入部内に施錠するための施錠凹部が形成されている雄型継手本体を有している。雌型継手部材と雄型継手部材とを接続する際には、スリーブをスプリングの付勢力に抗して後方位置に変位させてそれを保持した状態で、雌型継手本体の受け入れ部に雄型継手本体を挿入する。雌型継手部材と雄型継手部材とを分離する際には、スリーブをスプリングの付勢力に抗して後方位置に変位させてそれを保持した状態で、雌型継手本体の受け入れ部から雄型継手本体を引き抜く。
【先行技術文献】
【特許文献】
【０００３】
【特許文献１】特開２００６−３１６９８３号公報
【発明の概要】
【発明が解決しようとする課題】
【０００４】
しかし、このような管継手においては、スリーブと雌型継手本体の外周面の摺動部との隙間や、施錠子と施錠子孔との隙間、及び雌型継手本体と雄型継手本体との隙間に異物を挟み込んでしまったり、流体が隙間に入って酸化や乾燥して固着してしまったりすることがあった。特にスリーブと雌型継手本体の外周面の摺動部との隙間は狭いため固着しやすく、スプリングの付勢力と合わさってスリーブが動かせなくなることがあった。
【０００５】
本発明は、着脱が容易であり、かつ、固着した状態でも分離がしやすいようにした管継手を提供することを目的とする。
【課題を解決するための手段】
【０００６】
すなわち本発明は、雌型継手部材と該雌型継手部材に着脱可能に接続される雄型継手部材とからなる管継手であって、
該雌型継手部材は、該雄型継手部材を受け入れる筒状の内周面を有する受入部と、外周面から該内周面にその半径方向を貫通するように形成された施錠子孔とを有する雌型継手本体、該施錠子孔内に配置され、一部が該受入部内に挿入される施錠位置と、該施錠位置よりも外側に変位した解放位置との間で半径方向に変位可能とされた施錠子、及び該施錠子を該施錠位置に向かって付勢する弾性部材、を有し、
該雄型継手部材は、該雌型継手部材の該受入部内に挿入される挿入部と、短軸部と長軸部とがある断面形状になっており、該長軸部の長さは該挿入部の直径と同等以上、該短軸部の長さは該挿入部の直径未満で形成され、該施錠子を受け入れて該挿入部を該受入部内に施錠する施錠凹部とを外周面に有する雄型継手本体、を有し、
該雄型継手部材の該挿入部を該雌型継手部材の該受入部内に挿入していくと、該挿入部に沿って、該施錠子が該弾性部材の付勢力に対抗しながら該解放位置まで変位し、該施錠凹部が該施錠子と整合する位置となると、該施錠子が該弾性部材の付勢力によって該施錠位置まで変位して該施錠凹部の該短軸部に嵌合することによって該雄型継手部材が該雌型継手部材に施錠されて接続状態となり、
該接続状態において、該雌型継手部材と該雄型継手部材とを相対的に回転させると、該施錠凹部と該施錠子との接触位置が該短軸部から該長軸部に移動して該施錠子が該弾性部材の付勢力に対抗しながら該解放位置にまで変位することにより、該雌型継手本体と該雄型継手本体との間の施錠が解除されるようになっている管継手を提供する。
【０００７】
当該管継手においては、前後方向に摺動するスリーブを使わないことで部品間の摺動部を減らし、また、回転させて施錠を解除するという構造により、前後方向に摺動させるよりも固着をはがしやすく、さらに、該施錠凹部がカムのような役割をすることで、該施錠子に半径方向外側への力を与えることができるため、該雌型継手本体と該雄型継手本体との隙間や、該施錠子と該施錠子孔との隙間に固着が生じた場合でも、施錠を解除しやすくなる。
【０００８】
具体的には、該雄型継手部材が、該挿入部上の該施錠凹部の該短軸部と隣接する位置に形成された回転防止溝を有し、該施錠子が、該回転防止溝と接する位置に形成された回転防止段を有し、該接続状態において、該回転防止溝に該回転防止段が嵌合するようにすることができる。
【０００９】
このような構成により該雌型継手部材と該雄型継手部材に不意に回転力がかかってしまった時に施錠が解除されてしまうのを防ぐことができる。
【００１０】
より具体的には、該施錠子が、該施錠凹部と接する位置に形成された突起部を有し、該雄型継手部材が、該挿入部上から該施錠凹部の該長軸部をまたがるように形成された溝部を有し、該接続状態において、該雌型継手部材と該雄型継手部材とを相対的に回転させ、該施錠子が該解放位置にまで変位した時に、該突起部と該溝部が嵌合するようにすることができる。
【００１１】
このような構成により作業者が手元を視認していない状態でも、施錠が解除しやすいようにすることができる。
【００１２】
また具体的には、該施錠子と該弾性部材とが一体の部材であるようにすることができる。
【００１３】
このような構成により部品点数を減らせるため、組立性をより良くすることができる。
【００１４】
さらに具体的には、該施錠子が、該施錠凹部と該施錠子孔とに接する部分に間隔をあけて形成されている隙間溝を有し、該施錠子と該施錠凹部との接触部分の面積、及び、該施錠子と該施錠子孔との接触部分の面積を減らすようにすることができる。
【００１５】
このような構成により固着の要因となる接触部分の面積を減らすことができるため、固着状態での施錠解除がよりしやすくなる。
【００１６】
以下、本発明に係る管継手の実施形態を添付図面に基づき説明する。
【図面の簡単な説明】
【００１７】
【図１】本発明の第１の実施形態に係る管継手の接続前の状態における側断面図である。
【図２】図１の管継手の斜視図である。
【図３】図１の管継手の接続状態における側断面図であり、施錠子が施錠位置にあるときの図である。
【図４】図３のIV−IV線における断面図である（内部部品は省略）。
【図５】図１の管継手の分離途中の状態における側断面図であり、施錠子が解放位置にあるときの図である。
【図６】図５のVI−VI線における断面図である（内部部品は省略）。
【図７】本発明の第２の実施形態に係る管継手の接続状態における側断面図である。
【図８】図７の雄型継手部材の斜視図である。
【図９】図７の施錠子の斜視図である。
【図１０】本発明の第３の実施形態に係る雄型継手部材の斜視図である。
【図１１】本発明の第３の実施形態に係る管継手の施錠子の斜視図である。
【発明を実施するための形態】
【００１８】
本発明の第１の実施形態に係る管継手１００は、図１及び図２に示すように、雌型継手部材１１０と雌型継手部材１１０に着脱可能に接続される雄型継手部材１５０とからなる。
【００１９】
雌型継手部材１１０は、前後方向に延びる貫通孔１１２を有する全体として筒状の雌型継手本体１１４を有する。雌型継手本体１１４は、雄型継手部材１５０の挿入部１５２を受け入れる筒状の内周面１１６を有する受入部１１８と、外周面１２０から内周面１１６にその半径方向を貫通するように形成された施錠子孔１２２を有している。施錠子孔１２２内には施錠子１２４が設けられており、施錠子１２４は施錠子孔１２２内において半径方向に変位可能で、一部が受入部１１８内に挿入される施錠位置と、施錠位置よりも外側に変位した解放位置との間で半径方向に変位可能とされている。また、施錠子１２４を施錠位置に向かって付勢する弾性部材として、止め輪１２６を備えている。
【００２０】
雌型継手部材１１０の貫通孔１１２内にはバルブ支持部材１２８によって貫通孔１１２の軸線Ｌの方向で変位可能とされたバルブ１３０が支持されている。バルブ１３０は、圧縮コイルバネ１３２によって、バルブシート１３４に押圧されて密封係合されている。
【００２１】
雄型継手部材１５０は、雌型継手部材１１０の受入部１１８内に挿入される挿入部１５２と施錠子１２４を受け入れる施錠凹部１５４とが外周面１５６に設けられた雄型継手本体１５８を有する。施錠凹部１５４は、挿入部１５２の直径未満の長さで形成される短軸部１６０と挿入部１５２の直径と同等の長さで形成される長軸部１６２とがある楕円の断面形状を有している。施錠凹部１５４が短軸部１６０において施錠子１２４を受け入れることにより挿入部１５２を受入部１１８内に施錠するようになっている。雄型継手本体１５８は、前後方向に延びる貫通孔１６４を有し、貫通孔１６４内には、雌型継手部材１１０同様の、バルブ支持部材１６６、バルブ１６８、圧縮コイルバネ１７０、及びバルブシート１７２を備えている。
【００２２】
雌型継手部材１１０を雄型継手部材１５０に接続する際には、雄型継手部材１５０の挿入部１５２を雌型継手部材１１０の受入部１１８内に挿入していく。雄型継手部材１５０の挿入部１５２に沿って、施錠子１２４が止め輪１２６の付勢力に対抗しながら解放位置まで変位し、施錠凹部１５４が施錠子１２４と整合する位置になると、施錠子１２４が止め輪１２６の付勢力によって施錠位置まで変位して施錠凹部１５４の短軸部１６０に嵌合する。これにより、雄型継手部材１５０が雌型継手部材１１０に施錠され、図３及び図４に示すように、接続状態となる。
【００２３】
雌型継手部材１１０を雄型継手部材１５０から分離する際には、図５及び図６に示すように、接続状態において、雌型継手部材１１０と雄型継手部材１５０とを相対的に回転させる。すると、施錠凹部１５４と施錠子１２４との接触位置が短軸部１６０から長軸部１６２に移動して施錠子１２４が止め輪１２６の付勢力に対抗しながら解放位置にまで変位する。これにより、雌型継手部材１１０と雄型継手部材１５０との間の施錠が解除され、その状態で、雄型継手部材１５０を雌型継手部材１１０から引き抜くことで分離される。
【００２４】
本発明では、上記のように、従来必要であった前後方向に摺動するスリーブを使わない構造とすることで部品間の摺動部を減らすことができる。また、回転させて施錠を解除する構造とすることにより、前後方向に摺動させるよりも固着をはがしやすく、さらに、施錠凹部１５４がカムのような役割をすることで、施錠子１２４に半径方向外側への力を与えることができる。よって、雌型継手本体１１４と雄型継手本体１５８との隙間や、施錠子１２４と施錠子孔１２２との隙間に固着が生じた場合でも、施錠を解除しやすくなる。
【００２５】
本発明の第２の実施形態に係る管継手２００は、図７に示すように、雌型継手部材２１０と雌型継手部材２１０に着脱可能に接続される雄型継手部材２５０とからなる。
【００２６】
図８及び図９に示すように、雄型継手部材２５０が、挿入部上の施錠凹部２５４の短軸部２６０と隣接する位置に形成された回転防止溝２７４を有し、また、施錠子２２４が、回転防止溝２７４と接する位置に形成された回転防止段２３６を有している。
【００２７】
図７に示すように、接続状態において、回転防止溝２７４に回転防止段２３６が嵌合して雌型継手部材２１０に対して雄型継手部材２５０が回転できないようになっている。分離時は雄型継手部材２５０を挿入方向に押し込み、回転防止溝２７４と回転防止段２３６の嵌合を外した後に、回転させて分離する。
【００２８】
接続状態において、回転防止溝２７４に回転防止段２３６が嵌合するようにしたことで、不意に回転力がかかってしまった時の不意の施錠解除を防ぐことができるため、安全性を向上させることができる。なお、本発明の第２の実施形態に係る管継手においては施錠子に回転防止溝を設け、雄型継手本体に回転防止段を設けるようにしても良い。
【００２９】
本発明の第３の実施形態に係る管継手における雄型継手部材３５０と施錠子３２４は、図１０及び図１１に示すように、施錠子３２４が、施錠凹部３５４と接する位置に形成された突起部３３６を有し、雄型継手部材３５０が、挿入部３５２上から施錠凹部３５４の長軸部３６２をまたがるように形成された溝部３７６を有している。
【００３０】
接続状態において、雌型継手部材と雄型継手部材３５０とを相対的に回転させ、施錠子３２４が解放位置にまで変位した時に、突起部３３６と溝部３７６が嵌合するようにすることで、解放位置での位置合わせとなり、分離の作業の補助となる。また、クリック感が得られて、解放位置となったことを作業者が容易に認識することが可能になる。よって、作業者が手元を視認していない状態でも、施錠が解除しやすくなる。また、突起部と溝部の関係は本発明の第２の実施形態に係る管継手と同様に、逆にしても良い。
【００３１】
上述した本発明に係る管継手においては、施錠子と弾性部材としての止め輪とを別部品として構成しているが、板金や樹脂などの弾性変形をする部材を使用して、これらを一体の部材としても良い。
【００３２】
また、上述した本発明に係る管継手において、固着の原因となる施錠子と施錠凹部の接触部分、及び、施錠子と施錠子孔の接触部分に隙間溝を多数設け、接触面積を減らし、より分離しやすいようにしても良い。隙間溝は、施錠子と施錠凹部の接触部分の少なくとも一方、及び、施錠子と施錠子孔の接触部分の少なくとも一方にあればよい。
【符号の説明】
【００３３】
管継手１００；雌型継手部材１１０；貫通孔１１２；雌型継手本体１１４；内周面１１６；受入部１１８；外周面１２０；施錠子孔１２２；施錠子１２４；止め輪１２６；バルブ支持部材１２８；バルブ１３０；圧縮コイルバネ１３２；バルブシート１３４；雄型継手部材１５０；挿入部１５２；施錠凹部１５４；外周面１５６；雄型継手本体１５８；短軸部１６０；長軸部１６２；貫通孔１６４；バルブ支持部材１６６；バルブ１６８；圧縮コイルバネ１７０；バルブシート１７２；管継手２００；雌型継手部材２１０；施錠子２２４；回転防止段２３６；雄型継手部材２５０；挿入部２５２；施錠凹部２５４；短軸部２６０；回転防止溝２７４；施錠子３２４；突起部３３６；雄型継手部材３５０；挿入部３５２；施錠凹部３５４；長軸部３６２；溝部３７６；
【図１】
2018159461.tif 000003
【図２】
2018159461.tif 000004
【図３】
2018159461.tif 000005
【図４】
2018159461.tif 000006
【図５】
2018159461.tif 000007
【図６】
2018159461.tif 000008
【図７】
2018159461.tif 000009
【図８】
2018159461.tif 000010
【図９】
2018159461.tif 000011
【図１０】
2018159461.tif 000012
【図１１】
2018159461.tif 000013
【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
雌型継手部材と該雌型継手部材に着脱可能に接続される雄型継手部材とからなる管継手であって、
該雌型継手部材は、
該雄型継手部材を受け入れる筒状の内周面を有する受入部と、外周面から該内周面にその半径方向を貫通するように形成された施錠子孔とを有する雌型継手本体、
該施錠子孔内に配置され、一部が該受入部内に挿入される施錠位置と、該施錠位置よりも外側に変位した解放位置との間で半径方向に変位可能とされた施錠子、及び、
該施錠子を該施錠位置に向かって付勢する弾性部材、
を有し、
該雄型継手部材は、
該雌型継手部材の該受入部内に挿入される挿入部と、短軸部と長軸部とがある断面形状になっており、該長軸部の長さは該挿入部の直径と同等以上、該短軸部の長さは該挿入部の直径未満で形成され、該施錠子を受け入れて該挿入部を該受入部内に施錠する施錠凹部とを外周面に有する雄型継手本体、
を有し、
該雄型継手部材の該挿入部を該雌型継手部材の該受入部内に挿入していくと、該挿入部に沿って、該施錠子が該弾性部材の付勢力に対抗しながら該解放位置まで変位し、該施錠凹部が該施錠子と整合する位置となると、該施錠子が該弾性部材の付勢力によって該施錠位置まで変位して該施錠凹部の該短軸部に嵌合することによって該雄型継手部材が該雌型継手部材に施錠されて接続状態となり、
該接続状態において、該雌型継手部材と該雄型継手部材とを相対的に回転させると、該施錠凹部と該施錠子との接触位置が該短軸部から該長軸部に移動して該施錠子が該弾性部材の付勢力に対抗しながら該解放位置にまで変位することにより、該雌型継手本体と該雄型継手本体との間の施錠が解除されるようになっており、
該雄型継手部材が、該挿入部上の該施錠凹部の該短軸部と隣接する位置に形成された回転防止溝を有し、
該施錠子が、該回転防止溝と接する位置に形成された回転防止段を有し、
該接続状態において、該回転防止溝に該回転防止段が嵌合するようにされた、管継手。
【請求項２】
該施錠子が、該施錠凹部と接する位置に形成された突起部を有し、
該雄型継手部材が、該挿入部上から該施錠凹部の該長軸部をまたがるように形成された溝部を有し、
該接続状態において、該雌型継手部材と該雄型継手部材とを相対的に回転させ、該施錠子が該解放位置にまで変位した時に、該突起部と該溝部が嵌合するようにされた、
請求項１に記載の管継手。
【請求項３】
該施錠子と該弾性部材とが一体の部材とされた、
請求項１又は請求項２に記載の管継手。
【請求項４】
該施錠子が、該施錠凹部と該施錠子孔とに接する部分に間隔をあけて形成されている隙間溝を有し、該施錠子と該施錠凹部との接触部分の面積、及び、該施錠子と該施錠子孔との接触部分の面積を減らした、
請求項１乃至請求項３のいずれか一項に記載の管継手。
【手続補正２】
【補正対象書類名】図面
【補正対象項目名】図４
【補正方法】変更
【補正の内容】
【図４】
2018159461.tif 000014
【手続補正３】
【補正対象書類名】図面
【補正対象項目名】図６
【補正方法】変更
【補正の内容】
【図６】
2018159461.tif 000015